(57)【要約】      （修正有）【課題】換気扇本体の吸込み口を覆うカバーを薄くして意匠性を高めると共に、金属板の小口が露出する浴室天井の開口部を長期にわたって錆が発生しないようにする。【解決手段】表面がコーティングされた金属板２１を有する天井パネル２に矩形状の開口部を開けて、開口部の周縁となる天井パネル２の上面に取付け固定した取付枠３に換気扇本体１を取り付け、換気扇本体１の吸込み口を開口部上に配置し、開口部の下方をカバー５で覆ってなり、天井パネル２の開口部にＵパッキン４を被せる。【選択図】図３
2015124954.tif 000002
【特許請求の範囲】
【請求項１】
表面がコーティングされた金属板を有する天井パネルに矩形状の開口部を開けて、
前記開口部の周縁となる前記天井パネルの上面に取付け固定した取付枠に換気扇本体を取り付け、
前記換気扇本体の吸込み口を前記開口部上に配置し、前記開口部の下方をカバーで覆ってなり、
前記天井パネルの開口部にＵパッキンを被せたことを特徴とする浴室天井用換気扇。
【請求項２】
前記取付枠を、前記Ｕパッキンの上リップの上から前記上リップをつぶすようにして取付け固定し、
前記カバーを、前記Ｕパッキンの下リップの下から前記下リップをつぶすようにして取り付けたことを特徴とする請求項１記載の浴室天井用換気扇。
【請求項３】
前記開口部の四周各々に個別のＵパッキンを嵌めて、
前記開口部のコーナー部で隣接するＵパッキンの端面に密接させてスペーサーを設置したことを特徴とする請求項２記載の浴室天井用換気扇。
【請求項４】
前記換気扇の風洞の内面に固定爪を形成し、前記カバーにＬ型係止部材をスライド可能に設置し、
前記Ｌ型係止部材をスライドさせて前記固定爪に係止させ、前記カバーを前記換気扇に取り付けたことを特徴とする請求項２又は３に記載の浴室天井用換気扇。
【発明の詳細な説明】
【技術分野】
【０００１】
本発明は、浴室の天井に設置される換気扇に関するものである。
【背景技術】
【０００２】
従来、浴室の天井に設置されていた換気扇は、天井に開けられた開口部に、換気扇本体が下方から挿入され、開口部の周囲に取付け固定された木枠に換気扇本体の下端に形成されたフランジをねじ止めして取り付けられていた。
例えば、特許文献１の第１図に記載された技術では、木枠とフランジとの間に、縦断面形状がＬ字形のパッキンを挟持させて、天井板をフランジとの間の隙間を塞ぐ作用をしていた。
【０００３】
しかし、浴室の天井は、表面がコーティングされた金属板と断熱材とが重ねられた積層パネルで構成されており、その積層パネルに開口部を開けるため、開口部は金属板の小口が露出していた。金属板の小口が浴室の多湿雰囲気にさらされると錆が発生するという問題があった。
これに対して、金属板の小口に錆を発生させないために、換気扇本体の下端部を開口部より下方に配置して、浴室の多湿雰囲気にさらされないような構造をとることがあった。しかし、そのような構造では、換気扇本体の吸込み口を覆うカバーの厚みが大きくなってしまい、天井から下方にカバーが突き出るようになってしまい、見栄えがよくないものとなってしまう。
一方、金属板の小口に錆を発生させないために、特許文献２に記載されたように、天井開口部の小口にアルミテープを貼着する構造をとることがあった。この場合には、換気扇本体の吸込み口を覆うカバーを薄型にすることが可能となるが、その反面、アルミテープを貼るだけなので長年使用するうちにテープが剥がれてしまうという問題が生じてしまう。
【先行技術文献】
【特許文献】
【０００４】
【特許文献１】特開平２−１６１２４４号公報
【特許文献２】特開２０１０−１６３８０６号公報
【発明の概要】
【発明が解決しようとする課題】
【０００５】
そこで、本発明は、換気扇本体の吸込み口を覆うカバーを薄くして意匠性を高めると共に、金属板の小口が露出する浴室天井の開口部を長期にわたって錆が発生しないようにすることを目的とする。
【課題を解決するための手段】
【０００６】
上記した課題を解決するために、本発明における浴室天井用換気扇では、表面がコーティングされた金属板を有する天井パネルに矩形状の開口部を開けて、前記開口部の周縁となる前記天井パネルの上面に取付け固定した取付枠に換気扇本体を取り付け、前記換気扇本体の吸込み口を前記開口部上に配置し、前記開口部の下方をカバーで覆ってなり、前記天井パネルの開口部にＵパッキンを被せたことを特徴とする。
【０００７】
この発明によれば、天井開口部に露出する金属板の小口をＵパッキンで被覆するので、金属板の小口に長期にわたって錆が発生しないようにすることが可能となる。
また、換気扇本体を、開口部の上面に取付け固定した取付枠に取り付けたので、吸込み口が天井より下方に突出しないようにすることができる。これにより、カバーを薄い平板状にすることができ、天井からのカバーの突出量を小さく抑えて、浴室天井の意匠性を高めることが可能となる。
【０００８】
また、前記取付枠を、前記Ｕパッキンの上リップの上から前記上リップをつぶすようにして取付け固定し、前記カバーを、前記Ｕパッキンの下リップの下から前記下リップをつぶすようにして取り付けることが好ましい。
【０００９】
これによれば、天井パネルの上下に上リップと下リップが配設されるようにＵパッキンを開口部に装着して、上リップおよび下リップをそれぞれ取付枠およびカバーによって押圧してつぶすので、天井パネルの金属板の小口を浴室の多湿雰囲気に触れないようにシールすることが可能となる。
【００１０】
また、開口部の四周おのおのに個別のＵパッキンを嵌めて、開口部のコーナー部には隣接するＵパッキンの端面に密接するスペーサーを設置するのも好ましい。
【００１１】
これによれば、Ｕパッキンは直角に曲げられないので、四角い開口部の小口にＵパッキンを嵌めるには開口部の各辺おのおのにＵパッキンを嵌めることになるので、開口部のコーナー部に隣接するＵパッキン同士が突き当たることによって小口とＵパッキンとの間に小さな隙間が生じてしまう。しかし、本発明によれば、スペーサーを設置することによってその隙間を埋めるので、浴室の湿気を帯びた空気の小口への流入を確実に防ぐことができ、高い防錆効果を得ることができる。
【００１２】
さらに、前記換気扇の風洞の内面に固定爪を形成し、前記カバーにＬ型係止部材をスライド可能に設置し、前記Ｌ型係止部材をスライドさせて前記固定爪に係止させて、前記カバーを前記換気扇に取り付けることも好ましい。
【００１３】
これによれば、Ｌ字型係止部材の先端のツマミをスライドさせるだけで、カバーの着脱が簡単にできる。
また、Ｕパッキンの下リップのシールを、より確実に行うことが可能となる。
【発明の効果】
【００１４】
本発明は、換気扇本体の吸込み口を覆うカバーを薄くして意匠性を高めると共に、金属板の小口が露出する浴室天井の開口部を長期にわたって錆が発生しないようにした浴室天井用換気扇を提供することができる。
【図面の簡単な説明】
【００１５】
【図１】本発明の浴室天井用換気扇を示す模式的断面図である。
【図２】本発明の浴室天井用換気扇を示す模式的断面図である。
【図３】図２の一部拡大断面図である。
【図４】Ｕパッキンを示す図である。
【図５】天井パネルの開口部に直線状のＵパッキンを被せた状態を示す模式的平面図である。
【図６】天井パネルの開口部のコーナー部に取付けるスペーサーを示す図である。
【図７】天井パネルの開口部にＵパッキンを被せる手順を示す図である。
【図８】カバーの取付構造を示す図である。
【図９】カバーを取り付ける手順を示す図である。
【図１０】天井パネルの開口部にカバーを取り付けた状態を示す斜視図である。
【発明を実施するための形態】
【００１６】
以下、本発明の実施の形態を、図を参照しつつ説明する。
図１は、本発明の浴室天井用換気扇を示す模式的断面図、図２は、本発明の浴室天井用換気扇を示す模式的断面図、図３は、図２の一部拡大断面図である。
図１に示すように、浴室天井用換気扇では、換気扇本体１は、浴室の天井パネル２の一部を切除して形成された矩形状の開口部２ａに取り付けられている。天井パネル２は、表面がコーティングされた金属板２１と石膏ボード（断熱材）２２とを有する積層天井パネルとされている。開口部２ａの周縁となる天井パネル２の上面には、取付枠３が取付け固定されている。そして、換気扇本体１の下部フランジ１１がネジ１５によって取付枠３に取り付けられている。
また、換気扇本体１は、その吸込み口１２が開口部２ａ上に配置され、開口部２ａの下方をカバー５で覆っている。換気扇本体１は、天井パネル２より浴室側に突出していないので、このカバー５は従来よりも薄くすることができ、本実施形態では平板状である。カバー５の取付け方法については後述する。
【００１７】
次に天井パネル２の開口部２ａの防錆方法に関して説明する。
図４は、Ｕパッキンを示す図、図５は、天井パネルの開口部に直線状のＵパッキンを被せた状態を示す模式的平面図、図６は、天井パネルの開口部のコーナー部に取付けるスペーサーを示す図、図７は、天井パネルの開口部にＵパッキンを被せる手順を示す図である。
【００１８】
天井パネル２の開口部２ａは、金属板２１の切断面が露出しているため、天井パネル２の開口部２ａにＵパッキン４を被せて、防錆処理をしている。
図３、図４に示すように、Ｕパッキン４は、天井パネル２の開口部２ａの小口に当接する側面部４３と、天井パネル２の上面に当接する上リップ４１と、天井パネル２の下面に当接する下リップ４２と、を備えている。
【００１９】
Ｕパッキン４を被せた後に前述した取付枠３を取付け固定するので、上リップ４１は取付枠３によってつぶされる。一方、下リップ４２は、カバー５を取り付けることによってつぶされる。
【００２０】
防錆のためには、天井パネル２の開口部２ａの小口全周に防錆処理を施す必要があるが、Ｕパッキン４は弾力性はあるが矩形状の開口部２ａのコーナー部に沿って自在に変形させることができない。そのため矩形状の開口部２ａの小口にＵパッキン４を被せると、図５に示すように、コーナー部で隣接するＵパッキン４同士が突き当たる部位へ小さな隙間Ｓができてしまう。本実施形態においては、図６、図７に示すように、開口部２ａのコーナー部に、Ｕパッキン４の端面と密接するようにスペーサー９を設置することによってその隙間Ｓを埋め、高い防錆効果を得ることができる。
このスペーサー９は、図６に示すように、Ｕパッキン４と同じ素材で、開口部２ａのコーナー部に被せるようになっているのが好ましい。
【００２１】
次に、図７を参照して、開口部２ａにＵパッキン４とスペーサー９を取り付ける手順を説明する。
最初に開口部２ａのコーナー部にスペーサー９を取り付け、その後、開口部２ａの対向する二辺に一対のＵパッキン４，４を被せる。そして、残りの二辺に一対のＵパッキン４，４を被せる。これによって、コーナー部も含めて開口部２ａの小口の全体に防錆処理を施すことができる。
【００２２】
このように、開口部２ａの防錆のためにＵパッキン４を使用することで、天井パネル２の厚みや材質は限定されない。また、アルミテープでは剥がれやすい材質やアルミテープで養生しきれない厚みでも可能なため、天井パネル２は種々の材料を幅広く使用することができる。
【００２３】
次にカバー５の取付構造について説明する。
図８は、カバー５の取付構造を示す図、図９は、カバー５を取り付ける手順を示す図である。
【００２４】
図８に示すように、換気扇本体１の風洞の内面に固定爪７を取り付けると共に、カバー５にはＬ型係止部材６がスライド自在に取り付けられている。カバー５の装着時には、Ｌ型係止部材６が固定爪７に係止しているが、カバー５を外すときにはＬ型係止部材６をスライドさせて固定爪７への係止を解除する。このＬ型係止部材６のスライドは、Ｌ字型係止部材６の先端のツマミ８を操作することで実行できる。
このツマミ８は、図１０に示すように、カバー５の意匠面側（下面側）から下方に突出するように設けられている。
【００２５】
固定爪７は、その上面に、Ｌ型係止部材６に近い側が低く、遠い側が高くなるような段部７１が形成されている。これにより、Ｌ型係止部材６は２段階にわたって係止される。Ｌ型係止部材６を係止させる際には、Ｌ型係止部材６をスライドさせてまず段部７１の低い側７２に係止させる（図９（ｄ））。次いで、ツマミ８を最後までスライドさせて、Ｌ型係止部材６の先端に形成したカギ部分６１を固定爪７の端部に係止させる（図９（ｅ））。これにより、Ｌ型係止部材６は容易に抜けなくなるため、安全性が高い。一方、カバー５を取り外す際は逆の手順で容易に外すことが可能である。
【００２６】
また、Ｌ型係止部材６の固定爪７への係止作業が完了すると、カバー５がＵパッキン４を圧縮して、下リップ４２をつぶすことができる。この際、Ｌ型係止部材６を横にスライドさせることによりカバー５が固定爪７に係止されるので、カバー５の裏面と天井パネル２の表面との間に大きな隙間が形成されることはなく、Ｕパッキン４の下リップ４２を確実につぶすことができる。
【００２７】
なお、図８、図９に示すように、固定爪７のＬ型係止部材６側の側面を傾斜面７３とするのが好ましい。固定爪７の側面を傾斜面７３とすることによって、ツマミ８の位置がずれていてもカバー５の取付け動作によってツマミ８の位置が矯正される。すなわち、図９（ａ）のようにツマミ８がずれた状態でカバー５を持ち上げると、Ｌ型係止部材６の上端が固定爪７の傾斜面７３に案内されて図上右側に移動し（図９（ｂ））、Ｌ型係止部材６が固定爪７に係止可能な適正位置に矯正される（図９（ｃ））。
このようにすれば、カバー５を取付ける際に、事前にツマミ８を適正位置にセットする必要がなく、施工性が向上する。
【００２８】
以上、説明したように、本実施形態の浴室天井用換気扇では、天井パネル２の開口部２ａに露出する金属板２１の小口をＵパッキン４で被覆するので、金属板２１の小口に長期にわたって錆が発生しないようにすることが可能となる。また、換気扇本体１を、開口部２ａの上面に取付け固定した取付枠３に取り付けたので、吸込み口１２が天井パネル２より下方に突出しない。これにより、カバー５を薄い平板状にすることができ、天井パネル２からのカバー５の突出量を小さく抑えて、浴室天井の意匠性を高めることが可能となる。
【００２９】
また、取付枠５を、Ｕパッキン４の上リップ４１の上から上リップ４１をつぶすようにして取付け固定し、カバー５を、Ｕパッキン４の下リップ４２の下から下リップ４２をつぶすようにして取り付けることによって、天井パネル２の上下に上リップ４１と下リップ４２が配設されるようにＵパッキン４を開口部２ａに装着して、上リップ４１および下リップ４２をそれぞれ取付枠３およびカバー５によって押圧してつぶすこととなるので、天井パネル２の金属板２１の小口を浴室の多湿雰囲気に触れないようにシールすることが可能となる。
【００３０】
また、開口部２ａの四周おのおのに個別のＵパッキン４を嵌めて、開口部２ａのコーナー部には隣接するＵパッキン４の端面に密接するスペーサー９を設置することにより、開口部２ａのコーナー部に隣接するＵパッキン４，４同士が突き当たることによって小口とＵパッキン４との間に生じる小さな隙間をスペーサー９で埋めるので、浴室の湿気を帯びた空気の小口への流入を確実に防ぐことができ、高い防錆効果を得ることができる。
【００３１】
さらに、換気扇本体１の内面に固定爪７を形成し、カバー５にＬ型係止部材６をスライド可能に設置し、Ｌ型係止部材６をスライドさせて固定爪７に係止させて、カバー５を換気扇本体１に取り付けることにより、Ｌ字型係止部材６の先端のツマミ８をスライドさせるだけで、カバー５の着脱が簡単にできる。また、Ｕパッキン４の下リップ４２のシールを、より確実に行うことが可能となる。
【００３２】
本発明の取付構造は必ずしもＬ字型の爪を用いる必要はなく、換気扇本体１に対してカバーが着脱可能であれば形状は問わない。
【符号の説明】
【００３３】
１…換気扇本体
１２…吸込み口
２…天井パネル
２１…金属板
２ａ…開口部
３…取付枠
４…Ｕパッキン
４１…上リップ
４２…下リップ
５…カバー
６…Ｌ型係止部材
７…固定爪
９…スペーサー
【図１】
2015124954.tif 000003
【図２】
2015124954.tif 000004
【図３】
2015124954.tif 000005
【図４】
2015124954.tif 000006
【図５】
2015124954.tif 000007
【図６】
2015124954.tif 000008
【図７】
2015124954.tif 000009
【図８】
2015124954.tif 000010
【図９】
2015124954.tif 000011
【図１０】
2015124954.tif 000012